(57)【要約】【課題】  ボタンに着脱自在に取り付けることができ、自由に取り替えが可能な装飾具の提供。【解決手段】  装飾具の少なくとも表側面には、装飾が施された装飾部材が設けられ、装飾具の裏側面には、ボタンに覆い被せるためにボタンを挿入するボタン挿入部が設けられ、装飾具の内部には、ボタン挿入部から挿入されたボタンを収容するボタン収容部が設けられる。ボタン挿入部は、伸縮性を備えた部材から構成され、ボタン挿入部にボタンを挿入する際にはボタン挿入部を伸張し、ボタンが前記ボタン収容部に収容された際には縮小し、ボタンを覆う装飾部材がボタンから外れないように固着される。【選択図】  図１
2005334093.tif 000002
【特許請求の範囲】
【請求項１】
ボタンに着脱自在に取り付けることが可能な装飾具であって、
前記装飾具の少なくとも表側面には、装飾が施された装飾部材が設けられ、
前記装飾具の裏側面には、ボタンに覆い被せるためにボタンを挿入するボタン挿入部が設けられ、
前記装飾具の内部には、ボタン挿入部から挿入されたボタンを収容するボタン収容部が設けられており、
前記ボタン挿入部は、伸縮性を備えた部材から構成され、ボタン挿入部にボタンを挿入する際にはボタン挿入部を伸張し、ボタンが前記ボタン収容部に収容された際には縮小し、ボタンを覆う前記装飾部材がボタンから外れないように固着されることを特徴とする装飾具。
【請求項２】
ボタンに着脱自在に取り付けることが可能な装飾具であって、
前記装飾具の少なくとも表側面には、装飾が施された装飾部材が設けられ、
前記装飾具の裏側面には、ボタンに覆い被せるためにボタンを挿入するボタン挿入部が設けられ、
前記装飾具の内部には、ボタン挿入部から挿入されたボタンを収容するボタン収容部が設けられており、
前記ボタン挿入部は、開閉可能な開口部と、前記開口部を閉じた状態に固着させる閉口部材から構成され、ボタン挿入部にボタンを挿入する際には前記開口部を開き、ボタンが前記ボタン収容部に収容された際には前記閉口部材により開口部を閉じた状態に固着させ、ボタンを覆う前記装飾部材がボタンから外れないように固着されることを特徴とする装飾具。
【請求項３】
前記ボタン収容部は、ボタンが収容された状態でボタンと収容部内面との遊びが少なくなるように、ボタンを収容するために適合する形状および大きさからなるボタン収容室として形成されたことを特徴とする、請求項１または２のいずれかに記載の装飾具。
【請求項４】
前記ボタン収容室は、ボタン収容室の内面全体にわたり伸縮性を備えたことを特徴とする、請求項１〜３のいずれかに記載の装飾具。
【請求項５】
前記装飾部材は、布、紐、樹脂、金属、石、宝石、木、花、草、綿、革、ビーズ、ガラスの内の少なくともいずれかを含み構成されたことを特徴とする、請求項１〜４のいずれかに記載の装飾具。
【請求項６】
前記装飾部材の一部または全部を着脱することにより交換可能にされたことを特徴とする、請求項１〜５のいずれかに記載の装飾具。
【請求項７】
請求項１〜６のいずれかに記載の装飾具と、少なくとも一以上のボタンを備えた被服、帽子、マフラー、ソックス、履物、ベルト、バッグの内の少なくともいずれかとの組合せからなることを特徴とする装飾具セット。
【発明の詳細な説明】
【技術分野】
【０００１】
本発明は、衣服などのボタンに取り付ける装飾具と、装飾具セットとにボタンに関する。
【背景技術】
【０００２】
従来より、衣服などのボタンは、実用性の面以外にも、飾りとしての機能をも有している。
たとえば、ボタン自体に装飾を施した飾りボタンや、ボタンを装飾性のある生地のカバーシートで包んだくるみボタンなどが知られている。
【０００３】
【特許文献１】特開平９−３１３２１４号公報
【特許文献２】特開平１０−２３４４２７号公報
【０００４】
たとえば特開平９−３１３２１４「くるみボタン」においては、衣服の合わせ目を止める限定された使用態様から脱し、自由な使用態様を選択することができるくるみボタンが提案されている。ボタンベースの表面を布地等のカバーシートで覆い、そのカバーシートの余幅をボタン
ベースの裏側に折り返し、折り返したカバーシートの上からボタンキャップをボタンベースの裏側の凹部に嵌着するくるみボタンであって、ボタンキャップに係止部を形成したものである。
【発明の開示】
【発明が解決しようとする課題】
【０００５】
しかしながら、こうした飾りボタンやくるみボタンは、装飾性を有するものではあっても、あくまでもボタン本来の機能である衣服の合わせ目を止めるという目的から、服の色や素材デザイン等に合わせてあらかじめ作られることが多い。またボタン本来の機能を有していない飾りのものであっても、元々服に合わせてデザインされ、しかもあらかじめ取り付けられたものである。
【０００６】
しかし、たとえばアクセサリーなどの装身具が、服装全体のコーディネートや、あるいは季節、時間帯、さらにフォーマルな場やカジュアルな場などのシーンに合わせて取り替えて用いるように、ボタンの装飾もその場その時に合わせて使い分けができれば、使用用途や目的も多様になる。またいつでも取替えができれば飽きがこない。
また、衣服によっては、飾りをつけない状態で着用したい場合もある。
さらに、異なる衣服を着用する場合にもお気に入りの装飾を使いたいこともある。
【０００７】
特開平１０−２３４４２７「クリーニング時のボタン保護カバー材」においては、アルミ箔のもつフリーサイズ性と形状の柔軟性を生かしつつ、緩衝性を持たせ、また他の衣服を損傷させないボタン保護カバー材が提案され、ボタンに着脱可能なものである。
しかしこれは衣服を保護するという機能のみに着目したものであって、装飾具の取替えという本発明の目的とするところとは異なる。
【０００８】
そこで、本発明においては、上記の様々な課題を解決し、衣服その他のボタンに取り付ける取り替え可能な装飾具を提供することにより、服装全体のコーディネートや、あるいは季節、時間帯、さらにフォーマルな場やカジュアルな場などのシーンに合わせて取り替えて用いるように、ボタンの装飾もその場その時に合わせて使い分けができ、多様な使用用途や目的に利用することが可能な装飾具を提供することを目的とする。
【課題を解決するための手段】
【０００９】
上記課題を解決するため、請求項１に記載の発明においては、
ボタンに着脱自在に取り付けることが可能な装飾具であって、
前記装飾具の少なくとも表側面には、装飾が施された装飾部材が設けられ、
前記装飾具の裏側面には、ボタンに覆い被せるためにボタンを挿入するボタン挿入部が設けられ、
前記装飾具の内部には、ボタン挿入部から挿入されたボタンを収容するボタン収容部が設けられており、
前記ボタン挿入部は、伸縮性を備えた部材から構成され、ボタン挿入部にボタンを挿入する際にはボタン挿入部を伸張し、ボタンが前記ボタン収容部に収容された際には縮小し、ボタンを覆う前記装飾部材がボタンから外れないように固着される装飾具であることを特徴としている。
【００１０】
また、上記課題を解決するため、請求項２に記載の発明においては、
ボタンに着脱自在に取り付けることが可能な装飾具であって、
前記装飾具の少なくとも表側面には、装飾が施された装飾部材が設けられ、
前記装飾具の裏側面には、ボタンに覆い被せるためにボタンを挿入するボタン挿入部が設けられ、
前記装飾具の内部には、ボタン挿入部から挿入されたボタンを収容するボタン収容部が設けられており、
前記ボタン挿入部は、開閉可能な開口部と、前記開口部を閉じた状態に固着させる閉口部材から構成され、ボタン挿入部にボタンを挿入する際には前記開口部を開き、ボタンが前記ボタン収容部に収容された際には前記閉口部材により開口部を閉じた状態に固着させ、ボタンを覆う前記装飾部材がボタンから外れないように固着される装飾具であることを特徴としている。
【００１１】
また、上記課題を解決するため、請求項３に記載の発明においては、
前記ボタン収容部は、ボタンが収容された状態でボタンと収容部内面との遊びが少なくなるように、ボタンを収容するために適合する形状および大きさからなるボタン収容室として形成された、請求項１または２のいずれかに記載の装飾具であることを特徴としている。
【００１２】
また、上記課題を解決するため、請求項４に記載の発明においては、
前記ボタン収容室は、ボタン収容室の内面全体にわたり伸縮性を備えた、請求項１〜３のいずれかに記載の装飾具であることを特徴としている。
【００１３】
また、上記課題を解決するため、請求項５に記載の発明においては、
前記装飾部材は、布、紐、樹脂、金属、石、宝石、木、花、草、綿、革、ビーズ、ガラスの内の少なくともいずれかを含み構成された、請求項１〜４のいずれかに記載の装飾具であることを特徴としている。
【００１４】
また、上記課題を解決するため、請求項６に記載の発明においては、
前記装飾部材の一部または全部を着脱することにより交換可能にされた、請求項１〜５のいずれかに記載の装飾具であることを特徴としている。
【００１５】
また、上記課題を解決するため、請求項７に記載の発明においては、
請求項１〜６のいずれかに記載の装飾具と、少なくとも一以上のボタンを備えた被服、帽子、マフラー、ソックス、履物、ベルト、バッグの内の少なくともいずれかとの組合せからなる装飾具セットであることを特徴としている。
【発明の効果】
【００１６】
本発明によれば、衣服その他のボタンに取り付ける取り替え可能な装飾具を提供することにより、服装全体のコーディネートや、あるいは季節、時間帯、さらにフォーマルな場やカジュアルな場などのシーンに合わせて取り替えて用いるように、ボタンの装飾もその場その時に合わせて使い分けができ、多様な使用用途や目的に利用することが可能な装飾具を提供することができる。
これにより、いつでも取替えができれば飽きがこない。また、衣服によっては、飾りをつけない状態で着用したい場合には、装飾具を取り外すことができる。
さらに、異なる衣服を着用する場合にもお気に入りの装飾を取り替えて使用することができる。
さらに、装飾が必要なときだけ取り付けることができ、必要がない場合や無くしたり落としたりしそうな場合には取り外してポケットやバッグに入れる等しておくことが可能になる。
【発明を実施するための最良の形態】
【００１７】
本発明の装飾具は、ボタンに着脱自在に取り付けることが可能な装飾具である。
図１から図４は、本発明の装飾具の基本的な構成の一例を示す図である。
図１および各図において、符号Ａは本発明の装飾具を、符号Ｂはボタンを示している。また符号１は本発明の装飾具の表側面、符号２は裏側面を示している。符号１０は装飾部材、符号２０はボタン挿入部、符号３０はボタン収容部、符号３５はボタン収容室を示している。
【００１８】
本発明の装飾具は、その少なくとも表側面１には、装飾が施された装飾部材１０が設けられている。
装飾部材１０は、布、紐、樹脂、金属、石、宝石、木、花、草、綿、革、ビーズ、ガラスなどから構成されている。
一例としては、装飾部材１０は布からできており、布の柄や、形などそのものが装飾となるようなものである。図１から図３においては、装飾部材１０は星の形をしており、装飾部材１０そのものが本発明の装飾具の形状の主要な構成となっている。
各図に示した一例はあくまでも例であって、たとえば花を模した色彩、形状や、動物の形やキャラクターを模した形状、色彩など、様々な装飾部材とすることができる。
【００１９】
また、別の一例としては、装飾部材１０は、ボタンをカバーのように覆う布などの素材に、さらに金属や宝石、ビース、ガラスなどを用いて、様々な装飾を施したものがあげられる。
また木や草、花などの自然素材をあしらってもよい。たとえばドライフラワーを用いたブーケなどの装飾を、ボタンをカバーのように覆う布やレースなどの素材からなる装飾部材１０に施したものなどである。また布やレースなどを用いた造花などを装飾部材１０としてもよい。
さらに、装飾部材１０の一部または全部を着脱することにより交換可能にされているようにしてもよい。たとえばボタンをカバーのように覆う布などの素材により装飾部材１０が構成され、さらに金属や宝石、ビース、ガラスなどの交換可能な装飾部材１０を、ボタン、ホック、スナップ、ファスナー、面ファスナー、留め金具などを利用して取替え可能にすることにより、様々な装飾を施したものがあげられる。
【００２０】
次に本発明の装飾具の裏側面２には、ボタンＢに覆い被せるためにボタンＢを挿入するボタン挿入部２０が設けられている。
ボタン挿入部２０は、伸縮性を備えた部材から構成され、ボタン挿入部２０にボタンＢを挿入する際にはボタン挿入部２０を伸張し、ボタンＢがボタン収容部３０に収容された際には縮小し、ボタンＢを覆う装飾部材１０がボタンＢから外れないように固着される。
図１および図２は、ボタン挿入部２０として伸縮性を備えた布、ゴムなどにより構成される概略円形状の穴から構成される一例を示している。図１は通常時の状態を示し、図２はボタン挿入部２０を伸張させた状態を示している。
【００２１】
また図３および図４は、ボタン挿入部２０として伸縮性を備えた布、ゴムなどにより構成される切れ込み状の穴から構成される一例を示している。図３は通常時の状態を示し、図４はボタン挿入部２０を伸張させ切れ込み部分を広げた状態を示している。
この場合には、ボタン挿入部２０は、開閉可能な開口部と、開口部を閉じた状態に固着させる閉口部材から構成される。図３および図４においては、開閉可能な開口部は前述した切れ込み状のボタン挿入部２０であり、開口部を閉じた状態に固着させる閉口部材は、ゴムや伸縮性のある布その他の部材を用いることにより、自動的に縮小し開口部を閉じた状態にする素材を用いた例を示している。また、開口部を閉じた状態に固着させる閉口部材として、ボタン、ホック、スナップ、ファスナー、面ファスナー、留め金具などを利用したり併用したりすることができる。
ボタン挿入部２０にボタンＢを挿入する際には開口部を開き、ボタンＢがボタン収容部３０に収容された際には閉口部材により開口部を閉じた状態に固着させ、ボタンを覆う前記装飾部材１０がボタンから外れないように固着される。
【００２２】
次に本発明の装飾具の内部には、ボタン挿入部２０から挿入されたボタンＢを収容するボタン収容部３０が設けられている。
ボタン収容部３０は、ボタンが収容可能な大きさ以上の面積、体積を備えていればよい。しかしながら、着用する衣類等によってボタンの大きさは様々であるため、各種のボタンに対応できるように、ある程度の遊びがあってよい。
【００２３】
しかしながら、ボタンの大きさはある程度決まっているため、あまりにもボタン収容部３０が大きすぎた場合には、遊びの部分が過度に大きくなり、本発明の装飾具をボタンに付けた際に、装飾具が固定されずにだらしなく垂れてしまったり、ぶらぶらと揺れる状態になったりしてしまう。またボタンＢの大きさに対して本発明の装飾具が大きすぎたりした場合には、外れやすくなってしまう。
【００２４】
そのため、ボタン収容部３０は、ボタンＢが収容された状態で、ボタンＢと収容部内面との遊びが少なくなるように、ボタンＢを収容するために適合する形状および大きさからなるボタン収容室３５として形成されていることも好ましい。
また、ボタン収容室３５は、ボタン収容室３５の内面全体にわたり伸縮性を備えていることが望ましい。たとえば伸縮性の大きい布などで構成されたものである。
【００２５】
次に、本発明の装飾具の作用について説明する。
初めに、図５から図８を参照して、ボタン収容部３０が装飾具全体にわたり設けられている場合について説明する。
図５に示されるように、衣服などに取り付けられたボタンＢに対し、ボタン挿入部２０を近づけ、次いで図６に示されるように、伸縮性のあるボタン挿入部２０を拡張する。ボタン挿入部２０をボタンＢが入る大きさにまで拡張したら図７に示されるようにボタンＢに被せる。ボタンＢが通ったら、ボタン挿入部２０は縮小し、ボタンはボタン収容部３０にすっぽりと収容されてボタンから装飾具が外れないように固定される。図８は、装飾具が取り付けられた状態を示している。
【００２６】
次に、本発明の装飾具の作用について、図９から図１２を参照して、ボタン収容部３０にボタン収容室３５が設けられている場合について説明する。
図９に示されるように、衣服などに取り付けられたボタンＢに対し、ボタン挿入部２０を近づけ、次いで図１０に示されるように、伸縮性のあるボタン挿入部２０を拡張する。ボタン挿入部２０をボタンＢが入る大きさにまで拡張したら図１１に示されるようにボタンＢに被せる。ボタンＢが通ったら、ボタン挿入部２０は縮小し、ボタンはボタン収容部３５にすっぽりと収容されてボタンから装飾具が外れないように固定される。図１２は、装飾具が取り付けられた状態を示している。
【００２７】
本発明の装飾具は、各図面においては構成を示すために単純な形状としたが、前記の通り、装飾部材１０として各種の素材、形状、色彩、あるいはこれらの組合せを採用することができる。図１３は本発明の装飾具の別の一例を示している。
さらに本発明の装飾具は、被服にボタンが複数ある場合において、いずれかのボタンに装飾具を取り付けるようにしてもよく、あるいはいずれか一つのボタンに装飾具を取り付けるようにしてもよい。
また、実際に服を着用する際に使用されるボタンではなく、飾りを取り付けるための、胸や襟などにつけられた飾りボタンに、装飾具を適宜取り付けるようにしてもよい。
【００２８】
さらに、帽子、マフラー、ソックス、履物、ベルト、バッグなどに実用上のボタン、あるいは飾りボタンが付けられている場合において、これらのボタンに本発明の装飾具を取り付けるようにしてもよい。
さらに、ボタンの付いた被服、帽子、マフラー、ソックス、履物、ベルト、バッグの内の少なくともいずれかと、これまでに説明した請求項１〜６のいずれかに記載の装飾具とを組み合わせた装飾具セットとして構成してもよい。たとえば、帽子と、装飾具とをセットにするような形態や、複数の装飾具を取替えられるようにさらにセットにしたような形態などである。
【産業上の利用可能性】
【００２９】
以上詳細に説明したように、本発明によれば、衣服その他のボタンに取り付ける取り替え可能な装飾具を提供することにより、服装全体のコーディネートや、あるいは季節、時間帯、さらにフォーマルな場やカジュアルな場などのシーンに合わせて取り替えて用いるように、ボタンの装飾もその場その時に合わせて使い分けができ、多様な使用用途や目的に利用することが可能な装飾具を提供することができる。
【図面の簡単な説明】
【００３０】
【図１】本発明の装飾具の基本的な構成の一例を示す図である。
【図２】本発明の装飾具の基本的な構成の一例を示す図である。
【図３】本発明の装飾具の基本的な構成の一例を示す図である。
【図４】本発明の装飾具の基本的な構成の一例を示す図である。
【図５】本発明の装飾具の作用の一例を示す図である。
【図６】本発明の装飾具の作用の一例を示す図である。
【図７】本発明の装飾具の作用の一例を示す図である。
【図８】本発明の装飾具の作用の一例を示す図である。
【図９】本発明の装飾具の作用の一例を示す図である。
【図１０】本発明の装飾具の作用の一例を示す図である。
【図１１】本発明の装飾具の構成の別の一例を示す図である。
【図１２】本発明の装飾具の構成の別の一例を示す図である。
【図１３】本発明の装飾具の構成の別の一例を示す図である。
【符号の説明】
【００３１】
Ａ  本発明の装飾具
Ｂ  ボタン
１  表側面
２  裏側面
１０  装飾部材
２０  ボタン挿入部
３０  ボタン収容部
３５  ボタン収容室
【図１】
2005334093.tif 000003
【図２】
2005334093.tif 000004
【図３】
2005334093.tif 000005
【図４】
2005334093.tif 000006
【図５】
2005334093.tif 000007
【図６】
2005334093.tif 000008
【図７】
2005334093.tif 000009
【図８】
2005334093.tif 000010
【図９】
2005334093.tif 000011
【図１０】
2005334093.tif 000012
【図１１】
2005334093.tif 000013
【図１２】
2005334093.tif 000014
【図１３】
2005334093.tif 000015